(57)【要約】  【課題】  従来の表示システムは、画面全体の発光体を均一に低デューティー比で駆動することによって、画面全体の輝度を均一に下げていたため、表示画面全体がぼやけた状態になり、認識性が低下することになっていた。従って、広告等の表示を行う上で、十分な表現ができず、効果的な広告ができないという問題があった。  【解決手段】  複数個の発光素子を有する表示部と、複数個の発光素子を制御する制御部を備える表示システムにおいて、制御部は、複数個の発光素子の一部を輝度低下させるまたは消灯させて、表示部に情報を表示させながらも、表示の表現力の低下を抑えることを特徴とする表示システム。  【選択図】  図１
2007212593.tif 000002
【特許請求の範囲】
【請求項１】
複数個の発光素子を有する表示部と、
前記複数個の発光素子を制御する制御部を備える表示システムにおいて、
前記制御部は、前記複数個の発光素子の一部を輝度低下させるまたは消灯させて、前記表示部に情報を表示させながらも、表示の表現力の低下を抑えることを特徴とする表示システム。
【請求項２】
複数個の発光素子を有する表示部と、
前記複数個の発光素子を制御する制御部を備える表示システムにおいて、
前記表示システムは、前記複数個の発光素子のうち、一部の発光素子を輝度低下させるまたは消灯する省電力モードを備え、
前記省電力モードが実行されると、前記輝度低下させるまたは消灯する発光素子を特定し、
前記制御部は、前記特定した発光素子を輝度低下させるまたは消灯させて、前記表示部に情報を表示することを特徴とする表示システム。
【請求項３】
前記表示システムは、画像処理装置と、前記表示部と前記制御部を有する表示装置を備え、
前記画像処理装置は、前記省電力モードが実行されると、輝度を低下させるまたは消灯する発光素子を特定し、
前記制御部は、前記特定した発光素子を輝度低下させるまたは消灯させて、前記表示部に情報を表示することを特徴とする請求項２に記載の表示システム。
【請求項４】
前記表示システムは、画像処理プログラムを有し、
前記画像処理プログラムが実行されると、輝度低下させるまたは消灯する発光素子を特定し、
前記制御部は、前記特定した発光素子を輝度低下させるまたは消灯させて、前記表示部に情報を表示することを特徴とする請求項２に記載の表示システム。
【請求項５】
前記発光素子は、それぞれ位置データを有しており、
前記輝度低下させるまたは消灯する発光素子は、その位置データを指定することによって特定されることを特徴とする請求項１〜４の何れかに記載の表示システム。
【請求項６】
前記省電力モードで表示する表示態様は少なくとも１種類以上有し、
前記省電力モードが実行されると表示態様が選択され、
前記輝度低下させるまたは消灯させる発光素子は、前記選択された表示態様に応じて特定されることを特徴とする請求項２〜５の何れかに記載の表示システム。
【請求項７】
複数個の発光素子を有する表示部に、前記複数個の発光素子のうち、一部の発光素子を輝度低下させるまたは消灯させて、情報を表示する表示方法であって、
表示する情報を前記表示部の複数個の発光素子の何れに割り当てるか特定する工程と、
輝度低下させるまたは消灯させる発光素子を特定する工程と、
前記特定した発光素子の輝度を変更する工程と、
前期表示部に前記変更した輝度で情報を表示する工程とを有することを特徴とする表示方法。
【請求項８】
複数個の発光素子を有する表示部に、前記複数個の発光素子のうち、一部の発光素子を輝度低下させるまたは消灯させて、情報を表示する表示プログラムであって、
表示する情報を前記表示部の複数個の発光素子の何れに割り当てるか特定する工程と、
輝度低下させるまたは消灯させる発光素子を特定する工程と、
前記特定した発光素子の輝度を変更する工程と、
前期表示部に前記変更した輝度で情報を表示する工程とをコンピューターに実行させることを特徴とする表示プログラム。
【発明の詳細な説明】
【技術分野】
【０００１】
本発明は、消費電力を低減させながらも、表現力を失わず又は向上させて、画像等を表示することができる表示システムと表示方法および表示プログラムに関する。
【背景技術】
【０００２】
街の至る場所に、商品・企業の広告やニュース等の情報を表示する様々な表示システムが設置されている。特に大都市においては、数多くの表示システムが設置され、昼夜を問わず、長時間に渡って、情報が表示されている。
【０００３】
このように大量の電力を消費して表示を行う事は、環境保護を推進する時代の流れに逆行するものである。しかし、広告の影響は大きいと考えられ、クライアントからの広告などの表示に対するニーズは無視できるものではない。
【０００４】
以上のような状況の下、表示システムの低コスト化を目的として、消費電力を抑えて表示を行う事ができる表示システムが望まれている。従来技術として、省電力化を目的とした表示システムに関する下記の技術が開示されている。
【０００５】
図１１は、特開２００１−９２３９１号公報に開示された表示システム（太陽電池サインシステム）の回路構成を示すブロック図である。図１１を参照して、発光ダイオードのオンオフを制御する制御素子が、充電容量検出器で検出した蓄電池の充電量により、制御素子のデューティー比を小さくして発光ダイオードを点灯するように制御している。
【０００６】
また、特開２００４−７７９１０号公報に記載の表示システム（表示装置の輝度制御方法及び装置）は、備え付ける店舗の営業時間内と営業時間外における発光体をＰＷＭ駆動するパルス信号のデューティー比がメモリに設定されており、営業時間外は低デューティー比でドライバを駆動して、発光体の輝度を低下させて表示している。
【特許文献１】特開２００１−９２３９１号公報
【特許文献２】特開２００４−７７９１０号公報
【発明の開示】
【発明が解決しようとする課題】
【０００７】
しかしながら、上記文献等に記載された従来の表示システムでは、以下に示すような問題があった。
【０００８】
上記の何れの従来の表示システムも、画面全体の発光体を均一に低デューティー比で駆動することによって、画面全体の輝度を下げ、省電力の表示システムを実現している。しかし、このように画面全体の輝度を均一に下げた表示では、表示画面全体がぼやけた状態になり、認識性が低下することになる。従って、広告等の表示を行う上で、十分な表現ができず、効果的な広告ができないという問題があった。
【０００９】
本発明は、上記課題を解決するためになされたもので、省電力で表示しながらも、表現力を失わずにまたは同程度の表現力を保って表示できる表示システムを提供することを目的とする。
【課題を解決するための手段】
【００１０】
上記問題を解決するため、
本発明の表示システムは、
複数個の発光素子を有する表示部と、複数個の発光素子を制御する制御部を備える表示システムにおいて、
制御部は、複数個の発光素子の一部を輝度低下させるまたは消灯させて、表示部に情報を表示させながらも、表示の表現力の低下を抑えることを特徴とする。
【００１１】
また、本発明の表示システムは、
複数個の発光素子を有する表示部と、複数個の発光素子を制御する制御部を備える表示システムにおいて、
表示システムは、複数個の発光素子のうち、一部の発光素子を輝度低下させるまたは消灯する省電力モードを備え、省電力モードが実行されると、輝度低下させるまたは消灯する発光素子を特定し、制御部は、特定した発光素子を輝度低下させるまたは消灯させて、表示部に情報を表示することを特徴とする。
【００１２】
本構成をとることにより、表示部を構成する発光素子の一部の輝度を下げるまたは消灯して、省電力で表示しながらも、表現力を失わずにまたは同程度の表現力を保って表示することが可能である。
【００１３】
また、本発明の表示システムは、
画像処理装置と、表示部と制御部を有する表示装置を備え、
画像処理装置は、省電力モードが実行されると、輝度を低下させるまたは消灯する発光素子を特定し、
制御部は、特定した発光素子を輝度低下させるまたは消灯させて、表示部に情報を表示することを特徴とする。
【００１４】
また、本発明の表示システムは、
画像処理プログラムを有し、
画像処理プログラムが実行されると、輝度低下させるまたは消灯する発光素子を特定し、制御部は、特定した発光素子を輝度低下させるまたは消灯させて、表示部に情報を表示することを特徴とする。
【００１５】
また、本発明の表示システムは、
発光素子は、それぞれ位置データを有しており、
輝度低下させるまたは消灯する発光素子は、その位置データを指定することによって特定されることを特徴とする。
【００１６】
また、本発明の表示システムは、
省電力モードで表示する表示パターンは少なくとも１種類以上有し、
省電力モードが実行されると表示態様が選択され、
輝度低下させるまたは消灯させる発光素子は、選択された表示態様に応じて特定されることを特徴とする。
【００１７】
また、本発明の表示方法は、
複数個の発光素子を有する表示部に、前記複数個の発光素子のうち、一部の発光素子を輝度低下させるまたは消灯させて、情報を表示する表示方法であって、
表示する情報を前記表示部の複数個の発光素子の何れに割り当てるか特定する工程と、
輝度低下させるまたは消灯させる発光素子を特定する工程と、
前記特定した発光素子の輝度を変更する工程と、
前期表示部に前記変更した輝度で情報を表示する工程とを有することを特徴とする。
【００１８】
また、本発明の表示プログラムは、
複数個の発光素子を有する表示部に、前記複数個の発光素子のうち、一部の発光素子を輝度低下させるまたは消灯させて、情報を表示する表示プログラムであって、
表示する情報を前記表示部の複数個の発光素子の何れに割り当てるか特定する工程と、
輝度低下させるまたは消灯させる発光素子を特定する工程と、
前記特定した発光素子の輝度を変更する工程と、
前期表示部に前記変更した輝度で情報を表示する工程とをコンピューターに実行させることを特徴とする。
【発明の効果】
【００１９】
本発明の表示システムによれば、表示部を構成する発光素子の一部の輝度を下げるまたは消灯して、省電力で表示しながらも、表現力を失わずにあるいは同程度の表現力を保って表示することが可能である。
【発明を実施するための最良の形態】
【００２０】
以下、本発明の実施形態について図を参照して説明する。
（実施形態１）
図１は、本発明の実施形態１の表示システムのシステム構成の概略を示すブロック図である。図２は、本発明の実施形態１の表示システムにおける、画像表示フローを示す図である。
【００２１】
図１を参照して、実施形態１の表示システムの構成を説明する。
【００２２】
図１に示したように、本実施形態の表示システム１００は、画像処理装置１０１および表示装置１１０を備える。画像処理装置１０１と表示装置１１０は、例えば光ケーブル等の有線で接続され、または無線により、通信することができ、画像処理装置１０１から表示装置１１０へ画像処理された画像または文字等の表示データを送信することが可能である。画像処理装置１０１と表示装置１１０の設置場所は、特に限定されないが、表示装置１１０は屋外や屋内の通行者の多い場所に設置されると、より効果的に広告等の表示することができるので好ましい。
【００２３】
表示装置１１０は、主に、表示部１０９と制御部１０３とデータ受信部１０２およびメモリ１０４を備える。表示部１０９は、例えば発光ダイオード（ＬＥＤ）のような発光素子を複数個有し、画像等を表示する事が可能である。さらに、十分な個数の発光素子を保持することにより、精微な画像が表示可能となる。以下、表示部１０９を構成する発光素子としてＬＥＤを例示して説明を行うが、ＬＥＤに限らず、発光素子をマトリクス状に有する表示部であればよい。また、その発光素子の配置に関しては、特に限定されない。さらに、本明細書中で記載する発光素子は、ＲＧＢのＬＥＤからなる１組の発光素子群であることを前提とするが、単一色のＬＥＤであっても構わない。
【００２４】
制御部１０３は、データ受信部１０２が受信してメモリ１０４に保存した表示データを参照し、表示部ドライバ１０８を制御することによって、表示データの表示を可能とする。メモリ１０４は、表示ドライバ１０８を制御する制御プログラムを有する制御プログラムメモリ１０６と受信した表示データを保存する表示データメモリ１０５および書き込み可能なＲＡＭ１０７を有する。表示部ドライバ１０８は、各発光素子のＲＧＢ輝度を制御する。輝度の制御は、ＬＥＤに流れる電流量を制御する方法や、ＬＥＤに付加する電圧のデューティー比を制御する方法等の一般的な方法で実現される。
【００２５】
表示装置１１０は、電力源１１１と接続されて電力の供給を受けて駆動される。電力源１１１として、外部電源から電力供給を受けても構わないし、表示装置１１０が太陽電池等の自然エネルギーを利用した電力源を有し、そこから電源供給を受けても構わない。または、その組み合わせでも構わない。電力源として、太陽電池等の自然エネルギーを利用した電力源を採用した場合は、省エネルギーをより効果的に実現できるものであり好ましい。
【００２６】
なお、画像処理装置１０１は、コンピューターであり、ディスプレイ、キーボードなどの入力部、制御部および記憶部など一般的構成を備える。
【００２７】
図２を参照して、本実施形態の表示システムの画像表示フローを説明する。
【００２８】
図２に示したように、本実施形態の表示システムは一連のフローに従って表示を行う。
【００２９】
本実施形態の画像表示フローでは、画像処理装置１０１で予め省電力表示を行う為の画像処理を行った上で表示データを表示装置１１０に送信し、情報を表示する。
【００３０】
フローは、表示する画像データを指定し、省電力表示モードを選択することにより開始される（Ｓ１１）。画像処理装置１０１は画像処理を行うプログラムを有し、プログラムが起動されると、ディスプレイ上に画像処理する画像データを選択するウィンドウと省電力表示モードを選択するためのボタンとが提示される。
【００３１】
画像処理装置１０１は、画像データと省電力表示モードが選択されると、選択された画像データを読み込み、読み込んだ画像データを表示装置の表示部１０９の何れの発光素子に割り当てるかを決定し、座標データを割り当てる（Ｓ１２）。ここでいう座標データは、個々の発光素子の位置に対応し、例えば表示部１０９の底辺をＸ軸、左辺をＹ軸とすると、ＸＹ座標系で特定される位置座標である。ここでいう、底辺とは表示部１０９の画面を正面に向かって見た鉛直方向下側の辺であり、左辺とは表示部１０９の画面を正面に向かって見た左側の辺である。
【００３２】
次に、読み込んだ画像データから、表示する上で強調する部分（画像の主要部であり輝度低下または消灯せずに表示する部分、以下強調部分と記す）の抽出を行う（Ｓ１３）。次に、強調部分に対して、輝度低下または消灯するＬＥＤの座標データを特定する（Ｓ１４）。省電力表示の態様（後述）は数種類用意されており、どの省電力表示の態様で表示させるかによって、Ｓ１３とＳ１４の強調部分の抽出方法と消灯するＬＥＤの座標の特定方法は異なり、この点については後述するそれぞれの省電力表示の態様についての説明で合わせて説明する。
【００３３】
また、どの省電力表示の態様で表示するかの選択は、ディスプレイ上に選択画面を提示してユーザーに選択させてもよいし、画像を読み込んだ上で自動的に適している省電力表示の態様が選択されるようになっていてもよい。
【００３４】
次に、Ｓ１４で特定されたＬＥＤについて、輝度の変更を行う（Ｓ１５）。ＬＥＤの輝度は数値化されて設定されているものとする。例えば、最高輝度を１００、最低輝度を０とする（消灯に対応する）ことにより、輝度を数値的に表すことが可能である。
【００３５】
以上のように、画像処理装置１０１で省電力表示の画像処理が実行された表示データ（座標データ、輝度）が確定したら、表示装置１１０に表示データを送信する（Ｓ１６）。
【００３６】
表示装置１１０は、データ受信部１０２で画像処理装置１０１から送信された表示データを受信し（Ｓ１７）、一旦表示データメモリ１０５に保存する（Ｓ１８）。次に、表示プログラムを実行し、表示ドライバ１０８を駆動させて表示データメモリ１０５の表示データを参照して表示する（Ｓ１９）。表示する画像データは、静止画像データであってもよいし、動画画像データであってもよく、動画の表示も可能である。
【００３７】
図３〜図８は、省電力表示の様々な態様である。
【００３８】
図３〜図８を参照して、それぞれの省電力表示の態様と上述した画像処理（Ｓ１３・Ｓ１４・Ｓ１５）について説明する。
【００３９】
なお、図はグレイスケールで描かれているが、本来はカラー表示である。また、本来の画像は、図において、白色が強いほど輝度が高くなっている。
【００４０】
図３および図４は、画像に立体的視覚効果を与える省電力表示の態様である。
【００４１】
図３を参照して、画像に立体的視覚効果を与えるために、近く見えるように表示させたい部分（Ａ）に対して、遠くに見えるように表示させたい部分（Ｂ）の輝度を低く設定する。このように領域により輝度に違いを持たせることで、輝度を低下させた分の省電力を成しながら、平面画面でも遠近感を与えることが可能である。
【００４２】
従来の立体造形による広告は、広告としての効果は高いものであったが、製作コストが高いという問題があった。しかし、本省電力表示の態様により、平面画面内に遠近感を有する画像を提示することが可能となり、低コストで立体広告と同様の効果を得ることが可能である。
【００４３】
本表示態様の場合、近くに見えるように表示させたい部分（Ａ）が、上記フローの強調部分に対応する。強調部分の抽出は、画像処理装置のディスプレイ上でユーザーが指定できるようにしてもよいし、読み込んだ画像データから図形の形状を自動的に判断して抽出してもよい（Ｓ１３）。ここで、自動的に抽出する場合について説明を加える。画像データ内の強調部分に対応する部分は、ユーザーが表示画像を作成した際に、自動的に抽出できるように抽出用のデータを持たせておくことにより、容易に抽出が可能となる。
【００４４】
次に、Ｓ１３で抽出した強調部分に対して、遠くに見えるように表示させる部分（Ｂ）を特定する（Ｓ１４）。特定方法は、強調部分の抽出方法と同様で、ユーザーが指定してもよいし、自動的に行ってもよい。そして、Ｓ１４で特定された領域のＬＥＤ輝度の数値を小さくするように変更する（Ｓ１５）。
【００４５】
図４は、本表示態様を用いた表示の一例である。図４を参照して、矢印で示した強調部分が他の部分に比べて輝度が高く設定されており、近くに見えるように表示されている。このように、省電力で表示しながらも、立体的表示効果を持たせて、表現力を失わずにあるいは同程度の表現力を保って表示することが可能である。
【００４６】
図５は、画像内の特定領域周辺部のＬＥＤ輝度を階調的に低下させて表示する省電力表示の態様である。
【００４７】
図５を参照して、特定領域（Ｃ）の周辺部（Ｄ）のＬＥＤの輝度を階調的に低下するように設定する。この表示態様によって、画像内の表示内容の特定領域（Ｃ）が、より鮮明に表示される。
【００４８】
また、その周辺部（Ｄ）のＬＥＤ輝度を階調的にすることで、画面の断ち切りを意識させない効果を有する。さらに、この表示方法は、夜において特に効果的である。周囲の夜景と馴染み、表示内容が空に浮かんでいるように見える視覚効果を与えることが可能である。
【００４９】
図５の図形と文字（四角で囲んだ部分）が、上記フローの強調部分に対応する。強調部分の抽出は、ユーザーが指定できるようにしてもよいし、読み込んだ画像から図形や文字のある部分を自動的に抽出してもよい（Ｓ１３）。あるいは、特定の図形や文字だけを抽出してもよい。次に、Ｓ１３で抽出した部分に対して、階調的にＬＥＤの輝度を低下させる領域を特定する（Ｓ１４）。そして、Ｓ１４で特定した階調的に輝度を低下させるＬＥＤについて、輝度の数値を階調的に低下するように変更する。（Ｓ１５）
図５は、階調的に輝度を低下させて表示させる部分は、図面では上部のみであるが、これに関らず強調部の周囲全体であってもよい。さらに、その最周辺部は消灯させてもよい。
【００５０】
図６および図７は、画像内の同一色または同系色の領域の一部のＬＥＤを消灯させて（間引いて）表示する省電力表示の態様である。
【００５１】
図６は、同一色または同系色の領域内で、ＬＥＤの一部を線状に消灯させる表示である。その線の方向性は、図６のような縦に限定せず、縦横斜めの何れでもよい。また、図７は、同一色または同系色の領域内で、ある一定パターンでＬＥＤを消灯させる表示である。この消灯させるＬＥＤの位置のパターンは、図７のパターンに限定されない。
【００５２】
図６および図７に示すように、画像内の同一色または同系色の領域の一部のＬＥＤを消灯させても、強調部分（ＡＢＣの文字）の輝度を下げなければ、表示の情報伝達力は損なわれない。また、消灯させるＬＥＤを十分に短い時間スケールで変更させることによって、残像効果により消灯していることを分かりにくくすることが可能である。よって、通常の表示と同様の表示の質を保つことが可能である。
【００５３】
Ｓ１３の強調部分の抽出は、ユーザーが選択できるようにしてもよいし、自動的に抽出できるようにしてもよい。対して、間引きするＬＥＤの特定は、画像データのＲＧＢ値を参照して特定される同一色または同系色の領域を基に行われる。間引きのパターンは、ユーザーが指定できるようにしてもよいし、同一色または同系色の領域の形状、色調によって自動的に行われてもよい。以上のようにして、間引くＬＥＤが特定される（Ｓ１４）と、特定したＬＥＤの輝度の数値を小さく設定する（Ｓ１５）。
【００５４】
図８は、画像内の特定色の領域を消灯することによって、影絵のような幻想的な効果を与えて表示する態様である。
【００５５】
図８を参照して、画像内の特定色で表示されている領域について消灯する。
【００５６】
Ｓ１３の強調部分の抽出は、ユーザーが選択できるようにしてもよいし、自動的に抽出してもよい。対して、消灯するＬＥＤの抽出は、各発光素子のＲＧＢ値を参照して、ある特定色の部分の抽出を行うことにより特定される（Ｓ１４）。そして、特定されたＬＥＤの輝度を小さく変更する（Ｓ１５）。
【００５７】
図８に示したように、省電力で表示しながらも、影絵のような幻想的な効果を与えて表示することが可能である。
【００５８】
以上説明したように、本実施形態の表示システム１００において、発光素子の一部の輝度を下げるまたは消灯して、省電力で表示しながらも、表現力を失わずにまたは同程度の表現力を保って表示することが可能である。
（実施形態２）
実施形態１は、画像処理装置で予め画像処理された表示データを表示装置に送信して、表示させる構成である。以下に述べる実施形態２の表示システムは、表示装置内に画像処理を行うプログラムを有し、表示装置が受信した画像データを画像処理した上で表示する構成である。
【００５９】
図９は、本発明の実施形態２の表示システムのシステム構成の概略を示すブロック図である。図１０は、本発明の実施形態２の表示システムにおける、画像表示フローを示す図である。図９および図１０を参照して、本発明の表示システムの実施形態２について説明を行う。実施形態１との共通の部分に関しては説明を省略して、実施形態２の特徴部分について説明をする。
【００６０】
図９を参照して、実施形態２の表示システム２００の構成を説明する。
【００６１】
本実施形態は画像処理を表示装置１２４側で行うため、実施形態１のような画像処理装置は必要なく、代わりに画像データを入力するための画像入力装置１２１を備える。または、表示装置１２４に直接画像データを入力できる構成にしてもよい。また、表示装置１２４のメモリ１２２に、画像処理を行う画像処理プログラムと当該プログラムを保存する画像処理プログラムメモリ１２３を有する。
【００６２】
図１０を参照して、実施形態２の表示システム２００の画像表示フローを説明する。
【００６３】
フローは、画像入力装置１２１で省電力表示する画像データを指定し、省電力表示モードを選択することから始まる（Ｓ２１）。指定された画像データは表示装置１２４へ送信され（Ｓ２２）、一旦画像データメモリ１２５に保存される（Ｓ２３）。次に、画像処理プログラムが実行され、各ＬＥＤの輝度が変更された表示データが確定され（Ｓ２５〜Ｓ２８、表示態様によって輝度を低下させるまたは消灯するＬＥＤの特定は実施形態１と同様である）、確定した表示データをＲＡＭ１０７に一時保存する。そして、表示プログラムを実行し、表示ドライバ１０８を駆動させてＲＡＭ１０７の表示データを参照して表示する（Ｓ２９）。
【００６４】
以上、本実施形態の表示システム２００においても、実施形態１と同様に、発光素子の一部の輝度を下げるまたは消灯して、省電力で表示しながらも、表現力を失わずにまたは同程度の表現力を保って表示することが可能である。
【００６５】
また、今回開示された上記各実施形態は全ての点で例示であって、制限的なものではないと考えられるべきである。本発明の技術的範囲は特許請求の範囲によって画定され、また特許請求の範囲の記載と均等の意味および範囲内での全ての変更が含まれることが意図される。
【図面の簡単な説明】
【００６６】
【図１】本発明の第１実施形態の表示システムのシステム構成図である。
【図２】本発明の第１実施形態の表示システムの画像表示フローである。
【図３】本発明の第１実施形態の表示システムに表示される省電力表示の１態様である。
【図４】本発明の第１実施形態の表示システムに表示される省電力表示の１態様である。
【図５】本発明の第１実施形態の表示システムに表示される省電力表示の１態様である。
【図６】本発明の第１実施形態の表示システムに表示される省電力表示の１態様である。
【図７】本発明の第１実施形態の表示システムに表示される省電力表示の１態様である。
【図８】本発明の第１実施形態の表示システムに表示される省電力表示の１態様である。
【図９】本発明の第２実施形態の表示システムのシステム構成図である。
【図１０】本発明の第２実施形態の表示システムの画像表示フローである。
【図１１】特開２００１−９２３９１号公報に記載の従来の表示システムの回路構成を示すブロック図である。
【符号の説明】
【００６７】
１００、２００  表示システム
１０１  画像処理装置
１１０、１２４  表示装置
１０３  制御部
１０９  表示部
【図３】
2007212593.tif 000003
【図１１】
2007212593.tif 000004
【図１】
2007212593.tif 000005
【図２】
2007212593.tif 000006
【図４】
2007212593.tif 000007
【図５】
2007212593.tif 000008
【図６】
2007212593.tif 000009
【図７】
2007212593.tif 000010
【図８】
2007212593.tif 000011
【図９】
2007212593.tif 000012
【図１０】
2007212593.tif 000013